(57)【特許請求の範囲】
【請求項１】
可動部を有する乗物用シートであって、
シートバックの背面に設けられたカバー部材と、
前記可動部を操作するために乗員が操作する操作装置とを有し、
前記カバー部材には、開口が形成され、
前記操作装置は、乗員によって操作される操作体が設けられた操作装置本体と、前記操作装置本体に結合された結合部材とを有し、
前記操作装置本体が前記カバー部材の内面側に配置され、かつ前記操作体が前記開口と整合するように、前記結合部材が前記カバー部材の内面に結合され、
前記カバー部材は、板状の前側カバー及び後側カバーを有し、
前記前側カバー及び前記後側カバーは、互いの間に内部空間を形成し、
前記操作装置本体は、前記内部空間に配置され、前記結合部材は前記後側カバーの内面に結合され、
前記シートバックのフレームは、上下に延びる左右一対の第１サイドフレームと、前記第１サイドフレームの上端間に掛け渡された第１アッパフレームと、前記第１サイドフレームのそれぞれの長手方向における中間部に回動可能に結合された下端部を備えた左右一対の第２サイドフレームと、前記第２サイドフレームの上端間に掛け渡された第２アッパフレームとを有し、
前記シートバックは、前記第１サイドフレームの下部と、前記第１サイドフレームの下部に支持された下部パッドと、前記下部パッドに被せられた下部表皮とを含む下部シートバックと、前記第２サイドフレーム及び前記第２アッパフレームと、前記第２サイドフレーム及び前記第２アッパフレームに支持された上部パッドと、前記上部パッドに被せられた上部表皮とを含み、前記下部シートバックに対して回動可能な上部シートバックとを有し、
前記カバー部材の前記内部空間に、前記第１サイドフレームの上部及び前記第１アッパフレームが受容され、
前記前側カバーの前方に前記上部シートバックが離接可能に配置されていることを特徴とする乗物用シート。
【請求項２】
前記可動部は、電動モータを含む駆動装置によって駆動され、
前記操作装置本体は、前記操作体によって接続が切り替えられるスイッチ接点を内部に収容したスイッチ本体であることを特徴とする請求項１に記載の乗物用シート。
【請求項３】
前記シートバックは、前記フレームに支持されたパッドと、前記パッドに被せられた表皮とを有し、
前記カバー部材は、樹脂から形成された外殻部材であり、前記表皮よりも高い剛性を有することを特徴とする請求項２に記載の乗物用シート。
【請求項４】
前記前側カバーの内面及び前記後側カバーの内面の少なくとも一方には、前記スイッチ本体から延びるワイヤーハーネスを支持するためのハーネス保持部が少なくとも１つ設けられていることを特徴とする請求項２又は請求項３に記載の乗物用シート。
【請求項５】
前記ハーネス保持部は、前記ワイヤーハーネスに沿って等間隔に複数個が設けられていることを特徴とする請求項４に記載の乗物用シート。
【請求項６】
前記ハーネス保持部は、前記前側カバーの内面又は前記後側カバーの内面の左右方向における中央部に少なくとも１つ設けられていることを特徴とする請求項４又は請求項５に記載の乗物用シート。
【請求項７】
前記操作装置は、前記カバー部材の後面の上部に設けられていることを特徴とする請求項１〜請求項６のいずれか１つの項に記載の乗物用シート。
【請求項８】
前記カバー部材の内面には、少なくとも１つの凸部が突設され、
前記結合部材には、前記凸部がそれぞれ突入する少なくとも１つの受容孔が形成されていることを特徴とする請求項１〜請求項７のいずれか１つの項に記載の乗物用シート。
【請求項９】
前記凸部の少なくとも１つは、横断面が十字形をなし、
前記受容孔の少なくとも１つは、横断面が十字形をなす前記凸部を回転不能に受容することを特徴とする請求項８に記載の乗物用シート。
【請求項１０】
前記受容孔の少なくとも１つは、貫通孔であり、
前記凸部の少なくとも１つは、貫通孔である前記受容孔に突入する筒部と、前記筒部の側部に形成され、貫通孔である前記受容孔の周縁に突き当たる規制部とを有し、
前記筒部の内孔に結合する締結部材によって、前記結合部材が前記規制部との間に挟持されることを特徴とする請求項８又は請求項９に記載の乗物用シート。
【請求項１１】
前記凸部は、少なくとも前記操作装置本体の左右に設けられていることを特徴とする請求項８〜請求項１０のいずれか１つの項に記載の乗物用シート。
【発明の詳細な説明】
【技術分野】
【０００１】
本発明は、車両等に搭載される乗物用シートに関する。
【背景技術】
【０００２】
シートバックの表面に、乗物用シートを前後移動させるためのスイッチを設けたものがある（例えば、特許文献１）。特許文献１に係る乗物用シートでは、シートバックを構成するフレームに取付部材を介してスイッチボックスを結合し、フレームに支持されるパッド及びパッドに被せられた表皮に、スイッチボックス及び取付部材に対応した貫通孔を形成し、スイッチ（操作体）が設けられたスイッチボックスの表面をシートバックの外面に露出させている。
【先行技術文献】
【特許文献】
【０００３】
【特許文献１】特開２０１３−８６６４３号公報
【発明の概要】
【発明が解決しようとする課題】
【０００４】
しかしながら特許文献１に記載の発明のように、シートバックの内側に存在するフレームにスイッチボックスを支持させる場合、外側に配置されるパッドにスイッチボックスを露出させるための貫通孔を形成しなければならない。また、パッドに貫通孔を形成すると、パッドの孔の周囲の部分の剛性が低下するため、貫通孔の周囲を補強する補強部材が必要になる場合がある。
【０００５】
本発明は、以上の背景を鑑み、乗物用シートにおいて、シートバックの表面に配置される操作装置の取付構造を簡素にすることを課題とする。
【課題を解決するための手段】
【０００６】
上記課題を解決するために、本発明は、可動部（Ｓ１、Ｓ２）を有する乗物用シート（Ｓ）であって、シートバックの背面に設けられたカバー部材（Ｃ）と、前記可動部を操作するために乗員が操作する操作装置（４１）とを有し、前記カバー部材には、開口（７１）が形成され、前記操作装置は、乗員によって操作される操作体（６２）が設けられた操作装置本体（６１）と、前記操作装置本体に結合された結合部材（６３）とを有し、前記操作装置本体が前記カバー部材の内面側に配置され、かつ前記操作体が前記開口と整合するように、前記結合部材が前記カバー部材の内面に結合されていることを特徴とする。
【０００７】
この構成によれば、操作装置本体が結合部材を介してシートバックの背面に設けられたカバー部材に結合されているため、シートバックのパッドに操作装置を露出させるための貫通孔を設ける必要がない。また、操作装置本体は、結合部材を介してカバー部材に結合されているため、結合部材の形状を変化させることによって、カバー部材に対する操作装置本体の向きを任意に設定することができる。
【０００８】
また、上記の発明において、前記可動部は、電動モータを含む駆動装置（３５、３６、３７）によって駆動され、前記操作装置本体は、前記操作体によって接続が切り替えられるスイッチ接点を内部に収容したスイッチ本体（６１）であるとよい。
【０００９】
この構成によれば、操作装置は電気信号を生成する電気スイッチであるため、レバーやハンドル等の操作装置に比べて配置の自由度が高い。また、電気スイッチは操作に要する力が小さいため、操作性が良い。
【００１０】
また、上記の発明において、前記シートバックは、フレーム（Ｆ２）に支持されたパッドと、前記パッドに被せられた表皮とを有し、前記カバー部材は、樹脂から形成された外殻部材であり、前記表皮よりも高い剛性を有するとよい。
【００１１】
この構成によれば、カバー部材による操作装置の支持安定性が向上する。また、カバー部材への操作装置の取り付けが容易になる。
【００１２】
また、上記の発明において、前記カバー部材は、板状の前側カバー（２６）及び後側カバー（２５）を有し、前記前側カバー及び前記後側カバーは、互いの間に内部空間を形成し、前記スイッチ本体は、前記内部空間に配置され、前記結合部材は前記後側カバーの内面に結合されているとよい。
【００１３】
この構成によれば、スイッチ本体が前側カバー及び後側カバーに保護される。
【００１４】
また、上記の発明において、前記前側カバーの内面及び前記後側カバーの内面の少なくとも一方には、前記スイッチ本体から延びるワイヤーハーネス（８０）を支持するためのハーネス保持部（８１）が少なくとも１つ設けられているとよい。
【００１５】
この構成によれば、ワイヤーハーネスの位置が安定すると共に、揺動に起因するワイヤーハーネスの劣化が抑制される。
【００１６】
また、上記の発明において、前記ハーネス保持部は、前記ワイヤーハーネスに沿って等間隔に複数個が設けられているとよい。
【００１７】
この構成によれば、ワイヤーハーネスの位置が一層安定する。
【００１８】
また、上記の発明において、前記ハーネス保持部は、前記前側カバーの内面又は前記後側カバーの内面の左右方向における中央部に少なくとも１つ設けられているとよい。
【００１９】
この構成によれば、着座した乗員の荷重によって前側カバー及び後側カバーの変形が生じやすい部分に保持部が設けられるため、変形が生じるときにもワイヤーハーネスの位置を前側カバー又は後側カバーに対して一定させることができる。
【００２０】
また、上記の発明において、前記シートバックの前記フレームは、上下に延びる左右一対の第１サイドフレーム（１４、１５）と、前記第１サイドフレームの上端間に掛け渡された第１アッパフレーム（１６）と、前記第１サイドフレームのそれぞれの長手方向における中間部に回動可能に結合された下端部を備えた左右一対の第２サイドフレーム（２１）と、前記第２サイドフレームの上端間に掛け渡された第２アッパフレーム（２２）とを有し、前記シートバックは、前記第１サイドフレームの下部と、前記第１サイドフレームの下部に支持された下部パッドと、前記下部パッドに被せられた下部表皮とを含む下部シートバック（Ｓ２Ａ）と、前記第２サイドフレーム及び前記第２アッパフレームと、前記第２サイドフレーム及び前記第２アッパフレームに支持された上部パッドと、前記上部パッドに被せられた上部表皮とを含み、前記下部シートバックに対して回動可能な上部シートバック（Ｓ２Ｂ）とを有し、前記カバー部材の前記内部空間に、前記第１サイドフレームの上部及び前記第１アッパフレームが受容され、前記前側カバーの前方に前記上部シートバックが離接可能に配置されているとよい。
【００２１】
この構成によれば、前側カバー及び後側カバーは、第１サイドフレームの上部及び第１アッパフレームの周囲に配置され、これらに支持されるため、位置及び形状が安定する。
【００２２】
また、上記の発明において、前記操作装置は、前記カバー部材の後面の上部に設けられているとよい。
【００２３】
この構成によれば、乗物用シートの後方に配置されたシートに着座した乗員による操作装置の操作が容易になる。
【００２４】
また、上記の発明において、前記カバー部材の内面には、少なくとも１つの凸部（７４）が突設され、前記結合部材には、前記凸部がそれぞれ突入する少なくとも１つの受容孔（６３Ｆ）が形成されているとよい。
【００２５】
この構成によれば、凸部が受容孔に突入することによって、カバー部材の内面に対する結合部材の位置決めがなされる。
【００２６】
また、上記の発明において、前記凸部の少なくとも１つは、横断面が十字形をなし、前記受容孔の少なくとも１つは、横断面が十字形をなす前記凸部を回転不能に受容するとよい。
【００２７】
この構成によれば、結合部材の位置決めの精度が向上する。
【００２８】
また、上記の発明において、前記受容孔の少なくとも１つは、貫通孔（６３Ｅ）であり、前記凸部の少なくとも１つは、貫通孔である前記受容孔に突入する筒部（７２）と、前記筒部の側部に形成され、貫通孔である前記受容孔の周縁に突き当たる規制部（７３）とを有し、前記筒部の内孔に結合する締結部材（７７）によって、前記結合部材が前記規制部との間に挟持されるとよい。
【００２９】
この構成によれば、凸部を利用して締結部材によって結合部材をカバー部材に締結することができる。
【００３０】
また、上記の発明において、前記凸部は、少なくとも前記操作装置本体の左右に設けられているとよい。
【００３１】
この構成によれば、操作装置本体の位置決めが確実に行われる。
【発明の効果】
【００３２】
以上の構成によれば、乗物用シートにおいて、シートバックの表面に配置される操作装置の取付構造を簡素にすることができる。
【図面の簡単な説明】
【００３３】
【図１】車両用シートを左前方から見た斜視図
【図２】車両用シートを右後方から見た斜視図
【図３】車両用シートのフレームを右前方から見た斜視図
【図４】車両用シートのシステムの構成図
【図５】右側シールド及び第１スイッチの分解斜視図
【図６】第１スイッチの分解斜視図
【図７】第１スイッチの断面図（図６のVII−VII断面図）
【図８】第１スイッチの断面図（図６のVIII−VIII断面図）
【図９】バックカバーの上部の断面図
【図１０】第１スイッチを省略して後バックカバーの上部を前方から見た斜視図
【図１１】後バックカバーの上部を前方から見た斜視図
【図１２】図１１のXII−XII断面図
【図１３】後バックカバーを省略してシートバックの上部を後方から見た斜視図
【発明を実施するための形態】
【００３４】
以下、図面を参照して、本発明に係る乗物用シートを自動車の後部座席（２列目及び３列目を含む）に適用した一実施形態を説明する。以下の説明では、シートＳに着座した乗員を基準にして左右を定める。左右一対設けられる同一構成については、共通の番号を付し、説明を省略する。
【００３５】
（全体構成）
図１及び図２に示すように、シートＳは、シートクッションＳ１と、シートバックＳ２と、ヘッドレストＳ３と、オットマンＳ４と、スライダＳ５とを有する。スライダＳ５は、前後に延びるレールを介して自動車のフロアに前後にスライド移動可能に設けられている。シートクッションＳ１は、左右に延びるレール（不図示）を介してスライダＳ５に左右にスライド移動可能に設けられている。
【００３６】
シートバックＳ２は、シートクッションＳ１に対して回動（傾倒）可能に設けられた下部シートバックＳ２Ａと、下部シートバックＳ２Ａに対して回動（傾倒）可能に設けられた上部シートバックＳ２Ｂとを有する。ヘッドレストＳ３は上部シートバックＳ２Ｂの上部に設けられている。下部シートバックＳ２Ａの後側面は、板状のバックカバーＣによって覆われている。バックカバーＣは、下部シートバックＳ２Ａの上縁よりも上方に延出し、上部シートバックＳ２Ｂの後側面と対向している。上部シートバックＳ２Ｂは、バックカバーＣの前側面に沿った位置と、バックカバーＣの前側面から前方に離れた位置との間で、下部シートバックＳ２Ａに対して傾倒することができる。
【００３７】
シートクッションＳ１の右側部には右側シールド２が装着され、左側部には左側シールド３が装着され、後側部には後側シールド４が装着されている。各シールド２、３、４は、例えば樹脂材から形成されている。右側シールド２は、前後に延び、シートクッションＳ１の右側部の下部を覆っている。左側シールド３は、前後に延びてシートクッションＳ１の左側部を覆うと共に、シートクッションＳ１の座面よりも上方に延出して壁部３Ａを形成している。壁部３Ａの上端部は、左右に拡幅されて上方を向く上端面を形成し、乗員の左腕を支持するアームレストや小物を置くための台として機能する。後側シールド４は、左右に延び、シートクッションＳ１の後側部を覆っている。後側シールド４の左端部は左側シールド３の後端部まで延び、後側シールド４の右端部は右側シールド２の後端部まで延びている。本実施形態では、後側シールド４の左端部は左側シールド３の後端部と結合されている。
【００３８】
シートクッションＳ１は、シートクッションフレームＦ１と、シートクッションフレームＦ１に被せられたパッド及び表皮とを有する。図３に示すように、シートクッションフレームＦ１は、前後に延びる左右一対のクッションサイドフレーム１０と、各クッションサイドフレーム１０の前部間に掛け渡された前フレーム１１と、各クッションサイドフレーム１０の後部間に掛け渡された後フレーム１２とを有し、枠形に形成されている。また、各クッションサイドフレーム１０の前部間であって、前フレーム１１の上方には板状のパンフレーム１３が掛け渡されている。各クッションサイドフレーム１０は、左右に延びるレールを介してスライダＳ５に左右にスライド移動可能に結合されている。
【００３９】
図３に示すように、シートバックＳ２は、シートバックフレームＦ２と、可動フレームＦ３とを有する。シートバックフレームＦ２は、左バックサイドフレーム１４と、右バックサイドフレーム１５と、各バックサイドフレーム１４、１５間に掛け渡されたバックアッパフレーム１６及びバックロアフレーム１７とを有する。各バックサイドフレーム１４、１５は、略上下に延び、それぞれの下端部において、クッションサイドフレーム１０の後端部に回動（傾倒）可能に結合されている。各バックサイドフレーム１４、１５及びクッションサイドフレーム１０の結合部には、クッションサイドフレーム１０に対する各バックサイドフレーム１４、１５の傾倒角度を任意の角度に選択的に保持する第１〜第３リクライニング機構Ｒ１、Ｒ２、Ｒ３が設けられている。バックアッパフレーム１６は、各バックサイドフレーム１４、１５の上端部間に掛け渡され、左右に延びている。バックロアフレーム１７は、各バックサイドフレーム１４、１５の下部間に掛け渡され、左右に延びている。
【００４０】
可動フレームＦ３は、左右一対の可動サイドフレーム２１と、各可動サイドフレーム２１間に掛け渡された可動アッパフレーム２２とを有する。各可動サイドフレーム２１は、左右において対応するバックサイドフレーム１５の長手方向における中間部に回動（傾倒）可能に結合された下端部を有し、略上下に延びている。可動サイドフレーム２１及び左バックサイドフレーム１４の結合部には、バックサイドフレーム１５に対する可動サイドフレーム２１の傾倒角度を任意の角度に選択的に保持する第４リクライニング機構Ｒ４が設けられている。可動アッパフレーム２２は、各可動サイドフレーム２１の上端間に掛け渡され、左右に延びている。
【００４１】
各バックサイドフレーム１４、１５の下半部（可動サイドフレーム２１との結合部より下側部分）にパッド及び表皮が被せられることによって、下部シートバックＳ２Ａが形成される。可動フレームＦ３に、パッド及び表皮が被せられることによって上部シートバックＳ２Ｂが形成される。
【００４２】
図２、図９及び図１３に示すように、バックカバーＣは、後バックカバー２５と前バックカバー２６とを有する。後バックカバー２５は、各バックサイドフレーム１４、１５及びバックアッパフレーム１６の後方を覆う後側壁２５Ａと、左バックサイドフレーム１４の左方を覆う左側壁２５Ｂと、右バックサイドフレーム１５の右方を覆う右側壁２５Ｃと、バックアッパフレーム１６の上方を覆う上壁２５Ｄとを有する。前バックカバー２６は、板状をなし、各バックサイドフレーム１４、１５の上半部（可動サイドフレーム２１との結合部より上側部分）及びバックアッパフレーム１６の前方を覆うように配置されている。前バックカバー２６の縁部は、後バックカバー２５の上部の縁部と結合され、前バックカバー２６及び後バックカバー２５の間に空間が形成されている。各バックサイドフレーム１４、１５の上半部及びバックアッパフレーム１６は、前バックカバー２６及び後バックカバー２５の間に配置され、それらに覆われている。
【００４３】
シートクッションフレームＦ１、シートバックフレームＦ２、及び可動フレームＦ３は、金属板や金属パイプ等の金属部材を折曲加工及び溶接等することによって形成されている。左右のクッションサイドフレーム１０間、左右のバックサイドフレーム１５間、及び左右の可動サイドフレーム２１間には、剛性を高めるために、左右に延びる板部材やパイプ、金属棒等が適宜掛け渡されてもよい。
【００４４】
図３に示すように、右側のバックサイドフレーム１５の上端部には、ベルトガイドブラケット２８を介してベルトガイド２９が結合されている。ベルトガイド２９は、板金部材から形成され、前後に貫通するガイド孔を有する。ベルトガイド２９及びベルトガイドブラケット２８は、後バックカバー２５の上面部に結合された箱形のベルトガイドカバー３１によって覆われている。ベルトガイドカバー３１の内側の空間は、バックカバーＣの内部空間と繋がっている。シートベルト（不図示）は、シートクッションＳ１の下側に配置されたリトラクタ（不図示）から、シートクッションＳ１の下方を後方に延び、バックカバーＣの内部空間を通過して順に上方に延び、ベルトガイド２９を後方から前方に通過して引き出されている。
【００４５】
第１〜第３リクライニング機構Ｒ１〜Ｒ３は、公知の電動式のリクライニング機構であり、シートクッションＳ１側に結合される第１部材と、シートバックＳ２側に結合される第２部材と、中央に設けられた操作軸とを有する。第１部材は内歯車を有し、第２部材は第１部材の内歯車に噛み合う外歯車を有し、操作軸が回転することによって外歯車が内歯車との噛み合いを維持しながら回転する。内歯車は外歯車よりも歯数が１又は２多く設定されており、外歯車が内歯車上を進むことによって、第１部材に対する第２部材の角度が変化する。
【００４６】
図３に示すように、第１〜第３リクライニング機構Ｒ１〜Ｒ３の操作軸は、共通の連結軸３３によって互いに連結されている。左バックサイドフレーム１４の内側には、連結軸３３を回転させるための第１駆動装置３５が設けられている。第１駆動装置３５は、電動モータと、電動モータの回転力を減速して連結軸３３に伝達する減速機構とを有する。第１〜第３リクライニング機構Ｒ１〜Ｒ３は、連結軸３３を介して第１駆動装置３５によって同時に駆動される。
【００４７】
図４に示すように、シートＳは、フロアに対してスライダＳ５を前後に変位させるための第２駆動装置３６を有する。第２駆動装置３６は、前後に延在し、フロアに対してスライダＳ５を支持するレール装置と、レール装置を駆動する電動モータとを有する。第２駆動装置３６のレール装置は、例えば、フロアに結合された下側レールと、下側レールに前後動可能に支持され、スライダＳ５に結合された上側レールと、下側レールに設けられたラックと、上側レールに回転可能に設けられたピニオンとを有するとよい。ピニオンは、減速機構を介して電動モータに連結され、電動モータの動力を受けて回転し、下側レールに対して上側レールを移動させる。
【００４８】
また、シートＳは、スライダＳ５に対してシートクッションＳ１を左右に変位させるための第３駆動装置３７を有する。第３駆動装置３７は、左右に延在し、スライダＳ５に対してシートクッションＳ１を支持するレール装置と、レール装置を駆動する電動モータとを有する。第３駆動装置３７のレール装置は、例えば、スライダＳ５に結合された下側レールと、下側レールに左右動可能に支持され、シートクッションＳ１に結合された上側レールと、下側レールに設けられたラックと、上側レールに回転可能に設けられたピニオンとを有するとよい。ピニオンは、減速機構を介して電動モータに連結され、電動モータの動力を受けて回転し、下側レールに対して上側レールを移動させる。
【００４９】
以上のように、シートクッションＳ１は、フロアに対して前後及び左右に移動可能であり、可動部といえる。また、シートバックＳ２は、シートクッションＳ１に対して傾動可能であり、可動部といえる。
【００５０】
第１〜第３駆動装置３５〜３７は、ＥＣＵ３８（電子制御装置）によって駆動制御されている。ＥＣＵ３８には、第１スイッチユニット４０及び第２スイッチユニット４１が接続されている。第１スイッチユニット４０は、揺動型のスイッチボタン（操作体）である前後スイッチボタン４３、左右スイッチボタン４４、及び傾動スイッチボタン４５を有する。前後スイッチボタン４３は前移動及び後移動に応じた信号をＥＣＵ３８に出力し、左右スイッチボタン４４は左移動及び右移動に応じた信号をＥＣＵ３８に出力し、傾動スイッチボタン４５は前傾動及び後傾動に応じた信号をＥＣＵ３８に出力する。第２スイッチユニット４１は押しボタンスイッチであり、操作されたときに信号をＥＣＵ３８に出力する。
【００５１】
ＥＣＵ３８は、前後スイッチボタン４３からの信号に応じて第２駆動装置３６を制御し、左右スイッチボタン４４からの信号に応じて第３駆動装置３７を制御し、傾動スイッチボタン４５からの信号に応じて第１駆動装置３５を制御する。また、ＥＣＵ３８は、第２スイッチユニット４１からの信号に応じて、第１駆動装置３５、第２駆動装置３６、及び第３駆動装置３７の少なくとも１つを制御し、シートＳを退避状態にする。退避状態は、当該シートＳの後方に配置されたシートから自動車の乗降口に到る通路を広くするために、シートＳが通路から離れた状態をいう。例えば、シートＳが車両の右側に配置されている場合、退避状態においては、シートＳは右側に移動されると共に、シートバックＳ２が前側に倒される。
【００５２】
図２及び図５に示すように、第１スイッチユニット４０は、右側シールド２に設けられている。右側シールド２は、略上下に延びる側壁２Ａと、側壁２Ａの上縁からシートクッションＳ１側（左方）に突出した上壁２Ｂと、側壁２Ａの前縁からシートクッションＳ１側に突出した前壁２Ｃと、側壁２Ａの後縁からシートクッションＳ１側に突出した後壁２Ｄとを有する。側壁２Ａの後部上縁は上方に半円状に突出し、上壁２Ｂは側壁２Ａの上縁に沿って後部が上方に突出している。上壁２Ｂの前部及び中間部は、突出方向（左右方向）において、先端側が基端側に対して高くなるように若干傾斜している。なお、他の実施形態では、上壁２Ｂの前部及び中間部は、突出方向において水平に延びていてもよい。
【００５３】
図５に示すように、右側シールド２の後壁２Ｄの先端縁には、右側のクッションサイドフレーム１０の後縁に係止される後側係止片２Ｅが設けられている。また、側壁２Ａの裏面には、左方に向けて筒状のスペーサ２Ｆが突設されている。スペーサ２Ｆは、その前端において右側のクッションサイドフレーム１０の右側面に当接し、右側のクッションサイドフレーム１０に対して右側シールド２を位置決めする。右側シールド２の前壁２Ｃの先端縁には、右側のクッションサイドフレーム１０の内側に配置される内側カバー８（図１参照）の前縁に係止される前側係止片２Ｊが設けられている。
【００５４】
第１スイッチユニット４０は、略直方体に形成されたスイッチ本体５１と、スイッチ本体５１に設けられた前後スイッチボタン４３、左右スイッチボタン４４、及び傾動スイッチボタン４５と、スイッチ本体５１を右側シールド２に結合する結合部材５２とを有する。スイッチ本体５１は、外殻をなすケースと、ケース内に収容されたスイッチ接点とを有する。スイッチ本体５１の上面には、前後スイッチボタン４３、左右スイッチボタン４４、及び傾動スイッチボタン４５が揺動可能に支持されている。前後スイッチボタン４３、左右スイッチボタン４４、及び傾動スイッチボタン４５は、前後に間隔をおいて一列に配置されている。前後スイッチボタン４３、左右スイッチボタン４４、及び傾動スイッチボタン４５の操作に応じて、スイッチ本体５１内のスイッチ接点がＯＮ及びＯＦＦの間で切り替えられる。
【００５５】
図６及び図７に示すように、スイッチ本体５１の前側面及び後側面には前方又は後方に突出した締結部５１Ａがそれぞれ設けられている。各締結部５１Ａは、面が上下を向く板状に形成され、厚み方向（上下）に貫通する締結孔５１Ｂが形成されている。各締結部５１Ａの下面には、スイッチ本体５１の前側面に延びるリブ５１Ｃが形成されている。
【００５６】
結合部材５２は、面が上下を向き、前後に延びる上板５２Ａと、上板５２Ａの前後端から下方に延び、面が左右を向く一対の側板５２Ｂとを有する。各側板５２Ｂには、厚み方向（左右方向）に貫通する締結孔５２Ｃが形成されている。
【００５７】
上板５２Ａには、厚み方向（上下）に貫通する３つの窓５２Ｄが形成されている。各窓５２Ｄは、略四角形に形成され、前後に間隔をおいて一列に配置されている。上板５２Ａの下面の前後端部には、下方に向けて突出する円筒形のボス５２Ｅが形成されている。ボス５２Ｅの外周面には、上板５２Ａの下面に延びるリブが形成されている。上板５２Ａは、スイッチ本体５１の上面と対向するように設けられ、前後スイッチボタン４３、左右スイッチボタン４４、及び傾動スイッチボタン４５は、対応する窓５２Ｄを通過して上板５２Ａの上方に突出する。上板５２Ａの前後のボス５２Ｅは、各締結部５１Ａの締結孔５２Ｃと整合するように配置される。各締結部５１Ａは、締結孔５１Ｂを通過してボス５２Ｅの内孔に結合する締結部材５３によってボス５２Ｅに締結される。締結部材５３は、例えば樹脂製のファスナであり、軸部と、軸部の基端に設けられた頭部と、軸部の先端に設けられた弾性爪とを有する。軸部が締結孔５１Ｂを通過してボス５２Ｅの内孔に突入し、弾性爪がボス５２Ｅの内孔に係合し、頭部とボス５２Ｅの端面との間に締結部５１Ａが挟まれる。このように、締結部材５３はボス５２Ｅと締結部５１Ａとを締結する。
【００５８】
上板５２Ａの上面には、加飾部材５５（装飾部材）が設けられている。加飾部材５５は、上板５２Ａの上面を装飾する部材であり、３つの窓５２Ｄを囲む枠形に形成された枠部５５Ａと、枠部５５Ａの下部から下方に向けて突出した複数の第１脚部５５Ｂ及び第２脚部５５Ｃとを有する。枠部５５Ａは、上板５２Ａの上面に載置される板状かつ枠形の基部５５Ｄと、基部５５Ｄの内縁に沿って突設され、枠形に形成された壁部５５Ｅとを有する。図８に示すように、壁部５５Ｅの上端部は、壁部５５Ｅの外方、すなわち枠部５５Ａが形成する内孔と相反する方向に膨出した膨出部５５Ｆを有する。壁部５５Ｅの上端部及び膨出部５５Ｆは、面取りがなされ、滑らかな表面形状を有することが好ましい。
【００５９】
図６〜図８に示すように、第１脚部５５Ｂ及び第２脚部５５Ｃは、枠部５５Ａの基部５５Ｄの下面に突設されている。本実施形態では、第１脚部５５Ｂは板片状に形成され、第２脚部５５Ｃは第１脚部５５Ｂよりも短く、かつ幅が広く形成されている。上板５２Ａの上面には、加飾部材５５の各第１脚部５５Ｂ及び各第２脚部５５Ｃを受容する第１受容孔５１Ｆ及び第２受容孔（不図示）が形成されている。本実施形態では、第１脚部５５Ｂを受容する第１受容孔５１Ｆは上板５２Ａを貫通する貫通孔として形成され、第２脚部５５Ｃを受容する第２受容孔は上板５２Ａの上面に凹設された有底孔として形成されている。第１脚部５５Ｂが第１受容孔５１Ｆに突入し、第２脚部５５Ｃが第２受容孔に突入することによって、結合部材５２に対して加飾部材５５の上板５２Ａの面に沿った方向への位置決めがなされる。
【００６０】
加飾部材５５は、例えば樹脂材から形成され、コーティングが施されているとよい。例えば、加飾部材５５の枠部５５Ａは、金属光沢を有するコーティングが施されているとよい。また、加飾部材５５は可撓性を有してもよい。
【００６１】
右側シールド２の上壁２Ｂには、厚み方向に貫通する開口５７が形成されている。第１スイッチユニット４０は、右側シールド２の内側、すなわち上壁２Ｂの下方かつ側壁２Ａの左方に配置され、３つのスイッチボタン４３〜４５が開口５７内に配置される。加飾部材５５の枠部５５Ａは、開口５７の縁に沿って配置され、壁部５５Ｅの上端部が開口５７よりも上方に突出する。また、壁部５５Ｅの上端部の膨出部５５Ｆは、開口５７の縁部の上方に配置され、開口５７の縁部を覆い隠す。枠部５５Ａの基部５５Ｄは、上壁２Ｂの下面と結合部材５２の上板５２Ａの上面との間で挟持される。
【００６２】
図５に示すように、上壁２Ｂの下面における開口５７の左側部分には、下方に向けて突出する係止爪５８が形成されている。係止爪５８は、上壁２Ｂの下面から突出した可撓性を有する板片部と、板片部の先端に形成された爪部とを有する。図６に示すように、結合部材５２の上板５２Ａには係止爪５８を係止する係止孔５２Ｇが形成されている。係止孔５２Ｇは、上板５２Ａを厚み方向に貫通する貫通孔である。係止爪５８は、板片部が係止孔５２Ｇを貫通し、爪部において係止孔５２Ｇの縁に係止される。
【００６３】
図５に示すように、右側シールド２の側壁２Ａの内面には、円筒形の一対のボス２Ｇが突設されている。ボス２Ｇの外周面には、側壁２Ａの内面に延びるリブ２Ｈが形成されている。リブ２Ｈは、ボス２Ｇを中心として放射状に延びるように配置されているとよい。各ボス２Ｇは、それぞれの内孔が側板５２Ｂに形成された締結孔５２Ｃと整合する位置に形成されている。ボス２Ｇ及び側板５２Ｂは、締結孔５２Ｃを通過してボス２Ｇの内孔に結合する締結部材５９によってボス２Ｇに締結される。締結部材５９は、上述した締結部材５３と同様の構成であってよい。
【００６４】
図１１及び図１２に示すように、第２スイッチユニット４１は、略直方体に形成されたスイッチ本体６１と、スイッチ本体６１に変位可能に設けられたスイッチボタン６２と、スイッチ本体６１を後バックカバー２５の内面に結合する結合部材６３とを有する。スイッチ本体６１は、外殻をなすケースと、ケース内に収容されたスイッチ接点とを有する。スイッチ本体６１の外面には、スイッチボタン６２が外面に対して変位可能に支持されている。スイッチボタン６２は、押しボタンであり、スイッチ本体６１の軸線（中心線）に沿って往復動する。スイッチボタン６２の押し操作に応じて、スイッチ本体６１内のスイッチ接点がＯＮ及びＯＦＦの間で切り替えられる。
【００６５】
結合部材６３は、スイッチ本体６１を受容する筒形の受容部６３Ａと、受容部６３Ａの軸線（筒形の中心線）の方向における一端側から軸線と直交する方向に張り出した鍔部６３Ｂとを有する。受容部６３Ａは、略直方体のスイッチ本体６１を受容可能なように両端が開口した四角筒に形成されている。鍔部６３Ｂは、受容部６３Ａの軸線を中心として受容部６３Ａを囲むように略四角形の枠形に形成されている。スイッチ本体６１の軸線と受容部６３Ａの軸線とが一致し、スイッチ本体６１のスイッチボタン６２側の端部が受容部６３Ａの鍔部６３Ｂが設けられた側の端部から突出するように、スイッチ本体６１が受容部６３Ａに受容され、結合されている。また、スイッチ本体６１のスイッチボタン６２側と相反する側の端部も、受容部６３Ａの鍔部６３Ｂが設けられた側と相反する側の端部から外方に突出している。スイッチ本体６１と結合部材６３とは、例えば爪及び孔等による係止構造によって結合されている。
【００６６】
結合部材６３は、受容部６３Ａに設けられた一対の締結部６３Ｃと、１つの位置決め部６３Ｄとを有している。一対の締結部６３Ｃは、それぞれ板状に形成され、受容部６３Ａの互いに相反する側部から互いに相反する方向に延びている。すなわち、一対の締結部６３Ｃの間に、受容部６３Ａが配置されている。各締結部６３Ｃには、厚み方向に貫通する締結孔６３Ｅが形成されている。位置決め部６３Ｄは、板状に形成され、鍔部６３Ｂの一対の締結部６３Ｃが設けられた側部と相違する側部から外方に延びている。位置決め部６３Ｄには、厚み方向に貫通する位置決め孔６３Ｆが形成されている。位置決め孔６３Ｆは、略四角形に形成されている。各締結部６３Ｃの面、及び位置決め部６３Ｄの面の向きは、受容部６３Ａ及びスイッチ本体６１の軸線に対して傾斜している。
【００６７】
後バックカバー２５及び前バックカバー２６は、締結部材６５、６６によってバックアッパフレーム１６に結合されている。図９、図１１及び図１２に示すように、後バックカバー２５の内面（前面）及び前バックカバー２６の内面（後面）には、締結部材６５、６６の一端が結合する結合座６７、６８が形成されている。結合座６７、６８は、後バックカバー２５の内面から前方に突出し、左右一方に開口するスリットを有する。締結部材６５、６６は、例えば樹脂製のファスナであり、右方からスリットに挿入され、結合座６７、６８に対して前後に移動不能に結合される基端部と、結合座６７、６８に結合される基部から前方に突出する係止爪部とを有し、係止爪部においてバックアッパフレーム１６の後側面に形成された孔に結合する。
【００６８】
図１０に示すように、後バックカバー２５の後側壁２５Ａの上部右側には、厚み方向に貫通する開口７１が形成されている。開口７１は、第２スイッチユニット４１のスイッチボタン６２と対応する形状に形成されている。開口７１の前縁部７１Ａは、後側壁２５Ａの内面（前面）から前方に突出し、その突出端には前方を向く端面が形成されている。開口７１の後端縁は、開口７１の内面と後側壁２５Ａの外面（後面）が滑らかに連続するように面取りがなされている。開口７１は、前縁部７１Ａによって後側壁２５Ａの厚みよりも大きい長さを有する。
【００６９】
後側壁２５Ａの内面における開口７１の左右側方には円筒形のボス７２がそれぞれ突設されている。各ボス７２の外周面には、後側壁２５Ａの内面に延びる複数のリブ７３が形成されている。各リブ７３の後側壁２５Ａの内面からの突出長さは、ボス７２の突出長さよりも小さく設定されている。各リブ７３の突出端面７３Ａは、共通の仮想平面上に配置されている。各リブ７３は、ボス７２の上側及び下側と、ボス７２の開口７１側と相反する側に設けられ、それぞれボス７２の径方向に延びている。
【００７０】
後側壁２５Ａの内面における開口７１の下方には位置決め凸部７４が突設されている。位置決め凸部７４は、横断面が十字形に形成されている。後側壁２５Ａの内面における開口７１の上方には、上下に延びる複数の位置決めリブ７５が形成されている。位置決めリブ７５は、後バックカバー２５の上壁２５Ｄの内面に延びている。
【００７１】
図１１及び図１２に示すように、第２スイッチユニット４１は、後バックカバー２５の内面側に配置されている。詳細には、第２スイッチユニット４１は、後側壁２５Ａの前面の上部右側に配置されている。第２スイッチユニット４１は、結合部材６３の受容部６３Ａの鍔部６３Ｂが、開口７１の前縁部７１Ａの端面に突き当たるように後バックカバー２５に取り付けられ、スイッチボタン６２が開口７１内に配置される。結合部材６３の位置決め孔６３Ｆに位置決め凸部７４が嵌合することによって、後バックカバー２５に対するスイッチユニットの位置決めがなされる。詳細には、十字形の位置決め凸部の各側端部が、四角形の位置決め孔の各辺に当接することによって、位置決め孔６３Ｆに位置決め凸部７４が回転不能に結合する。また、結合部材６３の鍔部６３Ｂの上縁が複数の位置決めリブ７５に当接することによって、位置決め孔６３Ｆを中心とした第２スイッチユニット４１の後バックカバー２５に対する回転が抑制され、位置決めが一層精度良く行われる。各締結部６３Ｃの締結孔６３Ｅには、各ボス７２が突入し、締結部６３Ｃの後方を向く面には、複数のリブ７３の突出端面７３Ａが当接する。締結部６３Ｃは、ボス７２の内孔に結合する締結部材７７によってボス７２に締結される。締結部材７７は、例えば樹脂製のファスナであり、上述した締結部材５３と同様の構成であってよい。締結部材７７は、ボス７２の内孔に結合し、リブ７３の突出端面７３Ａとの間に締結部６３Ｃを挟持する。
【００７２】
図１３に示すように、第２スイッチユニット４１のスイッチ本体６１の前端部には、ＥＣＵ３８に延びるワイヤーハーネス８０の一端が接続されている。図９及び図１３に示すように、ワイヤーハーネス８０は、前バックカバー２６の内面（後面）に設けられた少なくとも１つのハーネス保持部８１に支持されている。ハーネス保持部８１は、前バックカバー２６の内面に突設され、上方に向けて開口したフック形状に形成されている。ハーネス保持部８１は可撓性を有し、弾性変形することによってワイヤーハーネス８０の装着及び取り外しを可能にする。
【００７３】
本実施形態では、ハーネス保持部８１の内の３つは、前バックカバー２６における同じ高さに配置されている。同じ高さに配置された３つのハーネス保持部８１は、バックアッパフレーム１６の下方に配置されている。詳細には、前バックカバー２６及び後バックカバー２５の間にバックアッパフレーム１６を配置したことによって、バックアッパフレーム１６の下方に形成された前バックカバー２６及び後バックカバー２５の間のデッドスペースにハーネス保持部８１が配置されている。３つのハーネス保持部８１は、前バックカバー２６の左右方向における中央部、左部、及び右部に、互いに等しい間隔をおいて配置されている。左右のハーネス保持部８１は、左右のバックサイドフレーム１４、１５の左右方向における内方（中央側）に配置されている。ワイヤーハーネス８０は、第２スイッチユニット４１から、右側のハーネス保持部８１、中央のハーネス保持部８１、左側のハーネス保持部８１に順に保持されて左方に延び、その後、左バックサイドフレーム１４の内方を下方に延びている。
【００７４】
以上のように構成したシートＳの効果について説明する。本実施形態では、第２スイッチユニット４１のスイッチ本体６１が結合部材６３を介して上部シートバックＳ２Ｂの背面に設けられたバックカバーＣの後バックカバー２５に結合されているため、シートバックＳ２のパッドに第２スイッチユニット４１を露出させるための貫通孔を設ける必要がない。
【００７５】
また、第２スイッチユニット４１のスイッチ本体６１は、結合部材６３を介して後バックカバー２５に結合されているため、結合部材６３の形状を変化させることによって、後バックカバー２５に対するスイッチ本体６１の向きを任意に設定することができる。本実施形態では、スイッチボタン６２の表面が向く方向（すなわち、スイッチボタン６２の軸線方向）と、ボス７２及び位置決め凸部７４の突出方向とが相違する。通常、ボス７２及び位置決め凸部７４の突出方向は、成形時の型抜きの観点から、後バックカバー２５を成形する成形型の型抜き方向と一致させる必要がある。そのため、ボス７２及び位置決め凸部７４への結合方向が制限されることになる。本実施形態では、結合部材６３を介してスイッチ本体６１を後バックカバー２５に結合しているため、結合部材６３の形状を適宜変更することによって、ボス７２等の向きに関係なく、スイッチ本体６１を所望の方向に配置することができる。
【００７６】
後バックカバー２５は、シートバックＳ２を構成するパッドや表皮よりも剛性が高いため、第２スイッチユニット４１を安定性良く支持することができる。また、樹脂の成形品である後バックカバー２５は、金属部材であるバックサイドフレーム１４、１５やバックアッパフレーム１６に比べて加工が容易であると共に、加工の自由度が高いため、第２スイッチユニット４１を結合させる対象として適している。
【００７７】
また、第２スイッチユニット４１は、前バックカバー２６と後バックカバー２５との間に配置され、これらに保護されるため、外部から荷重を受け難くなる。
【００７８】
前バックカバー２６の内面に設けられたハーネス保持部８１にワイヤーハーネス８０が保持されているため、ワイヤーハーネス８０の位置が安定すると共に、揺動に起因する劣化が抑制される。本実施形態では、左右方向に３つのハーネス保持部８１が等間隔に配置されているため、ワイヤーハーネス８０の位置が一層安定する。また、着座した乗員の荷重によって変形が生じやすい前バックカバー２６の中央部にハーネス保持部８１が設けられているため、変形が生じるときにもワイヤーハーネス８０の位置を前バックカバー２６に対して一定させることができる。
【００７９】
第２スイッチユニット４１のスイッチボタン６２が、後バックカバー２５の後面の上部に設けられているため、当該シートＳの後方に配置されたシートＳに着座した乗員による操作が容易である。
【００８０】
結合部材６３の位置決め孔６３Ｆと、後バックカバー２５の位置決め凸部７４との係合によって、後バックカバー２５に対する結合部材６３の位置決めがなされるため、締結部材７７による締結部６３Ｃとボス７２との結合作業が容易である。締結部６３Ｃは、受容部６３Ａを挟むように受容部６３Ａの左右に設けられているため、結合部材６３と後バックカバー２５との結合構造が安定する。
【００８１】
以上で具体的実施形態の説明を終えるが、本発明は上記実施形態に限定されることなく幅広く変形実施することができる。上記実施形態では電気スイッチとして構成された第１スイッチユニット４０を使用したが、他の実施形態では第２スイッチユニット４１に代えてコントロールケーブル等を操作するレバー装置を操作装置として使用してもよい。この場合、コントロールケーブルの操作によってリクライニング機構Ｒ１〜Ｒ３が駆動されるようにするとよい。
【００８２】
上記の実施形態では、締結部材５３、５９、６５、６６、７７に樹脂製のファスナを使用した例を示したが、締結部材は金属製及び樹脂製の螺子やリベットであってもよい。上記の実施形態では、前バックカバー２６にハーネス保持部８１を形成した例を示したが、ハーネス保持部８１は前バックカバー２６及び後バックカバー２５の内面の少なくも一方に少なくも１つ形成されていればよい。
【００８３】
上記実施形態では、本発明を車両用シートＳに適用した例を説明したが、本発明に係るシートＳは航空機用や鉄道用等の様々なシートＳに適用することもできる。また、上記実施形態に示したシートＳの各構成要素は必ずしも全てが必須ではなく、適宜選択することができる。
【符号の説明】
【００８４】
２        ：右側シールド
２Ａ      ：側壁
２Ｂ      ：上壁
２Ｇ      ：ボス
１０      ：クッションサイドフレーム
１４、１５      ：バックサイドフレーム
２１      ：可動サイドフレーム
２５      ：後バックカバー
２６      ：前バックカバー
４０      ：第１スイッチユニット
４１      ：第２スイッチユニット
４３      ：前後スイッチボタン
４４      ：左右スイッチボタン
４５      ：傾動スイッチボタン
５１      ：スイッチ本体
５２      ：結合部材
５２Ａ    ：上板
５２Ｂ    ：側板
５２Ｄ    ：窓
５２Ｆ    ：第１受容孔
５２Ｇ    ：係止孔
５５      ：加飾部材
５５Ａ    ：枠部
５５Ｄ    ：基部
５７      ：開口
５８      ：係止爪
６１      ：スイッチ本体
６２      ：スイッチボタン
６３Ａ    ：受容部
６３Ｃ    ：締結部
６３Ｄ    ：位置決め部
７１      ：開口
７２      ：ボス
７３      ：リブ
７３Ａ    ：突出端面
７４      ：位置決め凸部
８０      ：ワイヤーハーネス
８１      ：ハーネス保持部
Ｃ        ：バックカバー
Ｆ１      ：シートクッションフレーム
Ｆ２      ：シートバックフレーム
Ｆ３      ：可動フレーム
Ｓ        ：車両用シート
Ｓ１      ：シートクッション
Ｓ２      ：シートバック
【図１】
0006551186.tif 000002
【図２】
0006551186.tif 000003
【図３】
0006551186.tif 000004
【図４】
0006551186.tif 000005
【図５】
0006551186.tif 000006
【図６】
0006551186.tif 000007
【図７】
0006551186.tif 000008
【図８】
0006551186.tif 000009
【図９】
0006551186.tif 000010
【図１０】
0006551186.tif 000011
【図１１】
0006551186.tif 000012
【図１２】
0006551186.tif 000013
【図１３】
0006551186.tif 000014